(57)【要約】【課題】ポイントの付与を柔軟に行うことが可能な商品販売データ処理装置及びプログラムを提供する。【解決手段】商品販売データ処理装置は、ポイントの付与に係る設定情報を商品毎に複数個記憶する第１記憶手段と、前記設定情報間の優先度を記憶する第２記憶手段と、前記商品の中から顧客が購入する購入商品を識別する識別手段と、前記第２記憶手段に記憶された優先度に基づき、前記購入商品に対応付けられた複数の前記設定情報の中から一の設定情報を選択する選択手段と、前記選択手段が選択した前記設定情報を用いて、付与の対象となるポイントを前記購入商品毎に算出する算出手段と、を備える。【選択図】図３
2015087854.tif 000002
【特許請求の範囲】
【請求項１】
ポイントの付与に係る設定情報を商品毎に複数個記憶する第１記憶手段と、
前記設定情報間の優先度を記憶する第２記憶手段と、
前記商品の中から顧客が購入する購入商品を識別する識別手段と、
前記第２記憶手段に記憶された優先度に基づき、前記購入商品に対応付けられた複数の前記設定情報の中から一の設定情報を選択する選択手段と、
前記選択手段が選択した前記設定情報を用いて、付与の対象となるポイントを前記購入商品毎に算出する算出手段と、
を備える商品販売データ処理装置。
【請求項２】
前記第１記憶手段は、前記商品と当該商品が所属するカテゴリとの各々について個別に設定された前記設定情報を記憶し、
前記第２記憶手段は、前記商品及び前記カテゴリに設定された前記設定情報間の優先度を記憶し、
前記選択手段は、前記第２記憶手段に記憶された優先度に基づき、前記購入商品及び当該購入商品が所属する前記カテゴリの各々に設定された前記設定情報の中から一の設定情報を選択する請求項１に記載の商品販売データ処理装置。
【請求項３】
前記カテゴリは、前記商品を上位概念で分類した第１カテゴリと、当該第１カテゴリをさらに細かく分類した第２カテゴリとを有し、前記第１カテゴリ及び前記第２カテゴリの各々について前記設定情報が個別に設定されている請求項２に記載の商品販売データ処理装置。
【請求項４】
前記設定情報は、前記ポイントの付与率を定義する情報であって、
前記算出手段は、前記購入商品の単価に前記付与率を乗算することで前記ポイントを算出する請求項１又は２に記載の商品販売データ処理装置。
【請求項５】
前記算出手段が算出した前記商品毎のポイントの総和を前記顧客に付与する付与手段を更に備える請求項１〜４の何れか一項に記載の商品販売データ処理装置。
【請求項６】
コンピュータを、
ポイントの付与に係る設定情報を商品毎に複数個記憶する第１記憶手段と、
前記設定情報間の優先度を記憶する第２記憶手段と、
前記商品の中から顧客が購入する購入商品を識別する識別手段と、
前記第２記憶手段に記憶された優先度に基づき、前記購入商品に対応付けられた複数の前記設定情報の中から一の設定情報を選択する選択手段と、
前記選択手段が選択した前記設定情報を用いて、付与の対象となるポイントを前記購入商品毎に算出する算出手段と、
して機能させるためのプログラム。
【発明の詳細な説明】
【技術分野】
【０００１】
本発明の実施形態は、商品販売データ処理装置及びプログラムに関する。
【背景技術】
【０００２】
従来、集客率向上や得意客の増加をねらって、買上げ金額等に応じて顧客にポイントを付与し、貯めたポイントに応じて値引き等の特典を顧客に提供するポイントサービスが行われている。係るポイントサービスでは、固有のカード番号（例えば会員番号）を記録したカードを各顧客に配布し、このカード番号に基づいてポイントを管理することが一般に行われている。また、従来、顧客のランク毎にポイントの付与率を切り替える技術が提案されている。
【０００３】
しかしながら、従来の技術では、取引単位でポイントを付与する構成であるため、商品の単位等ではポイント付与を行うことができず、柔軟性に欠けるという問題がある。そのため、ポイントの付与を柔軟に行うことが可能な技術が望まれている。
【発明の概要】
【発明が解決しようとする課題】
【０００４】
本発明が解決しようとする課題は、ポイントの付与を柔軟に行うことが可能な商品販売データ処理装置及びプログラムを提供することである。
【課題を解決するための手段】
【０００５】
実施形態の商品販売データ処理装置は、第１記憶手段と、第２記憶手段と、識別手段と、決定手段と、算出手段とを備える。第１記憶手段は、ポイントの付与に係る設定情報を商品毎に複数個記憶する。第２記憶手段は、前記設定情報間の優先度を記憶する。識別手段は、前記商品の中から顧客が購入する購入商品を識別する。選択手段は、前記第２記憶手段に記憶された優先度に基づき、前記購入商品に対応付けられた複数の前記設定情報の中から一の設定情報を選択する。算出手段は、前記選択手段が選択した前記設定情報を用いて、付与の対象となるポイントを前記購入商品毎に算出する。
【図面の簡単な説明】
【０００６】
【図１】図１は、実施形態に係るＰＯＳシステムの構成を示す図である。
【図２】図２は、図１に示したＰＯＳ端末の外観構成を概略的に示す図である。
【図３】図３は、図１に示したＰＯＳ端末の電装系の構成を示す図である。
【図４】図４は、図３に示した商品マスタファイルのデータ構成の一例を示す図である。
【図５】図５は、図３に示した単品付与率設定ファイルのデータ構成の一例を示す図である。
【図６】図６は、図３に示した部門別付与率設定ファイルのデータ構成の一例を示す図である。
【図７】図７は、図３に示したグループ別付与率設定ファイルのデータ構成の一例を示す図である。
【図８】図８は、ストアコンピュータの電装系の構成を示す図である。
【図９】図９は、図８に示した店舗売上ファイルのデータ構成の一例を示す図である。
【図１０】図１０は、図８に示したポイント管理ファイルのデータ構成の一例を示す図である。
【図１１】図１１は、ＰＯＳ端末が実行するポイント付与処理の流れを示すフローチャートである。
【発明を実施するための形態】
【０００７】
以下、添付図面を参照して、実施形態に係る商品販売データ処理装置及びプログラムの実施形態を詳細に説明する。なお、以下に説明する実施の形態によりこの発明が限定されるものではない。
【０００８】
図１は、本実施形態に係るＰＯＳシステムの構成を示す図である。係るＰＯＳシステム１は、固有のカード番号（カード情報）を記録したポイントカードＰＣ（図２参照）を顧客毎に発行し、このポイントカードＰＣを持参した顧客にポイントを付与する店舗で利用されるものである。
【０００９】
図１に示すように、ＰＯＳシステム１は、本実施形態の商品販売データ処理装置に対応する複数台のＰＯＳ端末２と、ストアコンピュータ３とを有する。ＰＯＳ端末２とストアコンピュータ３とは、ＬＡＮ４によって接続され、各種データを送受信する。
【００１０】
ＰＯＳ端末２は、精算場所に配設され、キャッシャが売上処理を行うための端末である。図２は、ＰＯＳ端末２の外観構成を概略的に示す図である。図２に示すように、本体２０１の上面には、キーボード２０２と、モードスイッチ２０３と、カードリーダ２０４とが設けられる。
【００１１】
キーボード２０２は、キャッシャが操作入力を行うための各種の操作キーを有する。キーボード２０２は、数値を入力するための「置数キー」、商品の小計出力を指示する「小計キー」、取引の締めを指示するための「締めキー」等を含む。キーボード２０２は、操作されたキーに応じた信号を制御部２１に入力する。
【００１２】
モードスイッチ２０３は、商品の登録（売上登録）を行う「登録モード」、各種機能の点検を行う「点検モード」、一日分の精算を行う「精算モード」、各種設定を行う「設定モード」などの各種動作モードを選択するためのスイッチであり、例えば鍵にて操作される。モードスイッチ２０３は、切り替え位置に応じた信号を制御部２１に入力する。
【００１３】
カードリーダ２０４は、ポイントカードＰＣの挿入を受け付け、そのポイントカードＰＣからデータの読み取りを行う装置である。例えば、ポイントカードＰＣが磁気カードである場合、カードリーダ２０４として磁気カードリーダを用いることができる。また、ポイントカードＰＣがＩＣカードである場合には、カードリーダ２０４としてＩＣカードリーダを用いることができる。
【００１４】
また、本体２０１の奥側には、表示器２０５が設けられる。表示器２０５は、例えば液晶表示器であり、操作者用表示器２０５ａと客用表示器２０５ｂとを有する。表示器２０５は、制御部２１の制御に従い各種情報を表示する。
【００１５】
また、本体２０１の下部側には、金銭を収納するためのドロワ２０６が引出自在に設けられる。さらに、ＰＯＳ端末２には、バーコードや二次元コード等のコードシンボルに保持されたデータを光学的に読み取るコードスキャナ２０７等が接続される。
【００１６】
ＰＯＳ端末２は、本体２０１の内部に、図３に示すような電装系を有する。ここで、図３は、ＰＯＳ端末２の電装系の構成を示す図である。ＰＯＳ端末２は、ＣＰＵ（Central  Processing  Unit）、当該ＣＰＵが実行するための各種プログラムを格納するＲＯＭ（Read  Only  Memory）、ＲＡＭ（Random  Access  Memory）等で構成されるコンピュータ構成の制御部２１を備える。制御部２１は、バス２２を介して接続された通信インタフェース（Ｉ／Ｆ）２３を用いて、ＬＡＮ４を介してストアコンピュータ３との間で相互にオンライン通信を実行する。
【００１７】
また、制御部２１には、バス２２及びＩ／Ｏ機器制御部２４を介して、前述したキーボード２０２、モードスイッチ２０３、カードリーダ２０４、表示器２０５、コードスキャナ２０７が接続される。また、制御部２１には、バス２２及びＩ／Ｏ機器制御部２４を介して、レシート／ジャーナルプリンタであるプリンタ２５が接続される。このプリンタ２５は、制御部２１の制御に基づき、レシート用紙及びジャーナル用紙への印字を行うプリンタであって、本体２０１の内部又は本体２０１の外部に設けられる。
【００１８】
また、制御部２１には、バス２２及びＩ／Ｏ機器制御部２４を介して、ＨＤＤ（Hard  Disk  Drive）等の記憶装置である記憶部２６が接続される。記憶部２６は、ＣＰＵが実行する各種プログラムや各種データを記憶する。また、記憶部２６は、商品マスタファイルＦ１、単品付与率設定ファイルＦ２、部門別付与率設定ファイルＦ３、グループ別付与率設定ファイルＦ４及び優先度設定ファイルＦ５等を記憶する。
【００１９】
ここで、記憶部２６が記憶するファイル群（商品マスタファイルＦ１、単品付与率設定ファイルＦ２、部門別付与率設定ファイルＦ３、グループ別付与率設定ファイルＦ４及び優先度設定ファイルＦ５）は、ストアコンピュータ３で管理される同ファイル群と同期がとられている。ストアコンピュータ３が管理する何れかのファイル（データ）に更新があった場合には、ＰＯＳ端末２の記憶部２６に格納された各種データも更新される。なお、ＰＯＳ端末２のローカルにファイル群を格納せずに、ストアコンピュータ３に格納されたファイル群から処理に必要なデータをその都度読み込む形態としてもよい。
【００２０】
図４は、商品マスタファイルＦ１のデータ構成の一例を示す図である。図４に示すように、商品マスタファイルＦ１は、各商品の商品コードと対応付けて、その商品に関する商品情報を格納する。商品情報としては、商品の商品名、単価、部門コード、グループコード等が挙げられる。
【００２１】
商品コードは、各商品を識別するための識別情報である。部門コードは、その商品が所属する部門を識別するための識別情報である。また、グループコードは、その商品（或いは部門）が所属するグループを識別するための識別情報である。ここで、グループは、商品を上位概念で分類した第１カテゴリに対応し、部門は、この第１カテゴリをさらに細かく分類した第２カテゴリに対応する。例えば、商品名が「人参Ｃ１」の商品の場合には、「人参」が部門となり「野菜」がグループとなる。
【００２２】
図５は、単品付与率設定ファイルＦ２のデータ構成の一例を示す図である。図５に示すように、単品付与率設定ファイルＦ２は、商品コードと対応付けて、ポイントの付与率を設定情報として格納する。単品付与率設定ファイルＦ２に格納（設定）された付与率は、対応する商品（商品コード）単体のポイント付与率として適用される。なお、付与率に「０」等を設定したり、単品付与率設定ファイルＦ２から商品コードを除外したりすることで、ポイントを付与しない商品（以下、非付与商品という）を設定してもよい。
【００２３】
また図６は、部門別付与率設定ファイルＦ３のデータ構成の一例を示す図である。図６に示すように、部門別付与率設定ファイルＦ３は、部門コードと対応付けて、ポイントの付与率を設定情報として格納する。部門別付与率設定ファイルＦ３に格納（設定）された付与率は、対応する部門に所属する商品のポイント付与率として適用される。なお、付与率に「０」等を設定したり、部門別付与率設定ファイルＦ３から部門コードを除外したりすることで、ポイントを付与しない部門（非付与商品）を設定してもよい。
【００２４】
また、図７は、グループ別付与率設定ファイルＦ４のデータ構成の一例を示す図である。図７に示すように、グループ別付与率設定ファイルＦ４は、グループコードと対応付けて、ポイントの付与率を設定情報として格納する。グループ別付与率設定ファイルＦ４に格納（設定）された付与率は、対応するグループに所属する商品のポイント付与率として適用される。なお、付与率に「０」等を設定したり、グループ別付与率設定ファイルＦ４から部門コードを除外したりすることで、ポイントを付与しないグループ（非付与商品）を設定してもよい。
【００２５】
優先度設定ファイルＦ５には、ポイントの付与に用いる付与率の決定方法が設定される。具体的に、優先度設定ファイルＦ５には、単品付与率設定ファイルＦ２、部門別付与率設定ファイルＦ３及びグループ別付与率設定ファイルＦ４の各々に設定された付与率の、適用に係る優先度（優先順位）が設定される。なお、各付与率の優先度は特に問わず、任意に設定することが可能であるとする。
【００２６】
例えば、単品付与率設定ファイルＦ２の優先度を最も高く設定し、部門別付与率設定ファイルＦ３、グループ別付与率設定ファイルＦ４の順に低下するよう設定してもよい。なお、このように、ファイル単位で優先度を定めた場合、優先度が最上位のファイルで非付与商品に設定された商品については、ポイント付与の対象から除外することが好ましい。
【００２７】
また、各付与率設定ファイルに設定された付与率のうち、その値が最大のものを優先的に用いるよう設定してもよい。なお、このように、付与率の値で優先度を定めた場合、単品付与率設定ファイルＦ２で非対象商品に設定された商品については、ポイント付与の対象から除外することが好ましい。
【００２８】
次に、ストアコンピュータ３について説明する。ストアコンピュータ３は、ＰＯＳシステム１に係る各種データの記憶と管理を行う。ストアコンピュータ３の電装系は、例えば図８に示すような構成を有する。
【００２９】
図８は、ストアコンピュータ３の電装系の構成を示す図である。ストアコンピュータ３は、ＣＰＵ、ＲＯＭ、ＲＡＭ等で構成されるコンピュータ構成の制御部３１を有する。制御部３１は、バス３２を介して接続された通信インタフェース（Ｉ／Ｆ）３３から、ＬＡＮ４を介して複数台のＰＯＳ端末２との間で相互にオンライン通信を実行する。また、制御部３１にはバス３２及びＩ／Ｏ機器制御部３４を介して、キーボード３５、表示器３６、プリンタ３７及びＨＤＤ等の記憶装置である記憶部３８等が接続される。
【００３０】
記憶部３８は、制御部３１のＣＰＵが実行する各種制御プログラムや各種データを記憶する。また、記憶部３８は、上述した商品マスタファイルＦ１、単品付与率設定ファイルＦ２、部門別付与率設定ファイルＦ３、グループ別付与率設定ファイルＦ４及び優先度設定ファイルＦ５の他、店舗売上ファイルＦ６及びポイント管理ファイルＦ７を、ＰＯＳ端末２から参照可能に記憶する。
【００３１】
店舗売上ファイルＦ６は各ＰＯＳ端末２から送信される売上登録データを記憶するファイルである。図９は、店舗売上ファイルＦ６のデータ構成の一例を示す図である。図９に示すように、店舗売上ファイルＦ６は、取引が行われた日時を示す日時情報と、各ＰＯＳ端末２に予め割り当てられた固有のレジ番号と、各取引に割り当てられた固有の取引番号と、取引の内訳を示す取引情報とを対応付けて記憶する。ここで、取引情報は、購入の対象となった商品の商品コードや価格、当該商品の合計金額（購入金額）等を含む。
【００３２】
ポイント管理ファイルＦ７は、各顧客に付与されたポイントを管理するためのファイルである。図１０は、ポイント管理ファイルＦ７のデータ構成の一例を示す図である。図１０に示すように、ポイント管理ファイルＦ７は、各ポイントカードＰＣのカード番号に対応付けて、ポイントの累積値（以下、累積ポイントという）を記憶する。
【００３３】
上記の構成において、ストアコンピュータ３の制御部３１は、ＰＯＳ端末２と協働することで、カード番号に基づき各顧客の累積ポイントを管理する。具体的に、制御部３１は、ＰＯＳ端末２からカード番号とポイントとの組を受け付けると、このカード番号に対応付けてポイント管理ファイルＦ７に記憶された累積ポイントに、当該ポイントを加算する。
【００３４】
次に、図３を参照して、ＰＯＳ端末２の制御部２１が実現する機能部について説明する。制御部２１のＣＰＵは、ＲＯＭや記憶部２６に記憶されたプログラムと協働することで、商品情報取得部２１１、売上登録部２１２、ポイント付与部２１３及び印字制御部２１４等を機能部として備える。
【００３５】
商品情報取得部２１１は、商品マスタファイルＦ１に格納された複数の商品の中から、顧客が購入の対象とした商品（購入商品）の商品情報を取得することで、当該商品を識別する。具体的に、商品情報取得部２１１は、キーボード２０２から商品コードが入力された場合に、この商品コードに対応する商品情報を商品マスタファイルＦ１から取得する。また、商品情報取得部２１１は、コードスキャナ２０７が商品に付されたコードシンボルから商品コードを読み取ることで当該商品コードが入力された場合に、この商品コードに対応する商品情報を商品マスタファイルＦ１から取得する。
【００３６】
売上登録部２１２は、キーボード２０２の締めキーの操作に応じて、一取引の取引内容を示す売上登録データを生成する。売上登録データには、図９のデータ構成で説明したように、現在日時を示す日時情報、自端末のレジ番号、この取引に係る取引番号及び取引情報が含まれるものとする。そして、売上登録部２１２は、生成した売上登録データをストアコンピュータ３に送信することで、一取引分の売上登録データを管理する。
【００３７】
ポイント付与部２１３は、単品付与率設定ファイルＦ２、部門別付与率設定ファイルＦ３、グループ別付与率設定ファイルＦ４及び優先度設定ファイルＦ５に基づき、付与の対象となるポイントを商品毎に算出する。
【００３８】
具体的に、ポイント付与部２１３は、一の商品に係る商品コード、部門コード及びグループコードについて、部門別付与率設定ファイルＦ３及びグループ別付与率設定ファイルＦ４に設定された付与率をそれぞれ読み出す。次いで、ポイント付与部２１３は、優先度設定ファイルＦ５に設定された優先度に基づき、読み出した付与率の中から、ポイントの算出に用いる付与率を一つ選択する。そして、ポイント付与部２１３は、選択した付与率を商品の単価に乗算することでポイントを算出する。
【００３９】
例えば、商品「人参Ｃ１」について、単品付与率設定ファイルＦ２、部門別付与率設定ファイルＦ３及びグループ別付与率設定ファイルＦ４のそれぞれに、付与率「０．０５」、「０．０８」、「０．０３」が設定されていたとする。また、単品付与率設定ファイルＦ２、部門別付与率設定ファイルＦ３及びグループ別付与率設定ファイルＦ４の順に優先度が低下するよう優先度設定ファイルＦ５に設定されていたとする。この場合、ポイント付与部２１３は、最優先の単品付与率設定ファイルＦ２の付与率「０．０５」を、「人参Ｃ１」の単価「８０円」に乗算することで、ポイント「４」を算出する。なお、単品付与率設定ファイルＦ２において、商品「人参Ｃ１」が非付与商品に設定されている場合には、ポイントの算出は行わないものとする。
【００４０】
また、例えば、付与率が最大のものを優先的に用いるよう優先度設定ファイルＦ５に設定されていたとする。この場合、ポイント付与部２１３は、部門別付与率設定ファイルＦ３の付与率「０．０８」を、「人参Ｃ１」の単価「８０円」に乗算することで、ポイント「６．４」を算出する。なお、この場合においても、単品付与率設定ファイルＦ２において、商品「人参Ｃ１」が非付与商品に設定されている場合には、ポイントの算出は行わないものとする。
【００４１】
また、ポイント付与部２１３は、各商品について算出したポイントを積算すると、その積算したポイントを顧客に付与する。具体的に、ポイント付与部２１３は、積算したポイントの整数値を、カードリーダ２０４が読み取ったカード番号とともにストアコンピュータ３に送信することで、このカード番号に対応するポイント管理ファイルＦ７の累積ポイントに、当該ポイントを加算させる。このように、ポイント付与部２１３は、顧客が所持するポイントカードＰＣのカード番号に基づいて、当該顧客に購入金額に応じたポイントを付与する。なお、積算したポイントの端数（小数点以下の値）については切り捨てを行うものとする。
【００４２】
印字制御部２１４は、プリンタ２５を制御して、レシートやジャーナル等を印字する。例えば、印字制御部２１４は、キーボード２０２の締めキーが操作された場合に、顧客が購入した各商品の商品名、単価、購入金額（合計金額）、付与したポイント数等の情報を含んだ、取引の内訳を示す取引レシートを印字する。
【００４３】
以下、図１１を参照して、ＰＯＳ端末２の動作例について説明する。ここで、図１１は、ＰＯＳ端末２が実行するポイント付与処理の流れを示すフローチャートである。なお、本処理は、ＰＯＳ端末２の動作モードが、登録モードに設定されている時に実行されるものである。
【００４４】
まず、商品情報取得部２１１は、キーボード２０２又はコードスキャナ２０７から、顧客が購入する商品の商品コードが入力されるまで待機する（ステップＳ１１；Ｎｏ）。商品情報取得部２１１は、商品コードの入力を受け付けると（ステップＳ１１；Ｙｅｓ）、この商品コードに対応する商品情報を商品マスタファイルＦ１から取得する（ステップＳ１２）。
【００４５】
ポイント付与部２１３は、ステップＳ１２で取得された商品情報に含まれる商品コード、部門コード及びグループコードの各々に対応付けて設定された付与率を、単品付与率設定ファイルＦ２、部門別付与率設定ファイルＦ３及びグループ別付与率設定ファイルＦ４からそれぞれ読み出す（ステップＳ１３）。次いで、ポイント付与部２１３は、優先度設定ファイルＦ５に設定された優先度に基づき、ポイントの算出に用いる付与率を決定（選択）する（ステップＳ１４）。
【００４６】
続いて、ポイント付与部２１３は、商品情報に含まれた商品の単価に、ステップＳ１５で選択した付与率を乗算することで、商品毎にポイントを算出する（ステップＳ１５）。
【００４７】
続いて、制御部２１は、取引の終了を指示する締めキーの操作を受け付けたか否かを判定する（ステップＳ１６）。ここで、締めキーの操作を受け付けていないと判定された場合（ステップＳ１６；Ｎｏ）、ステップＳ１１に再び戻る。
【００４８】
一方、締めキーの操作を受け付けたと判定された場合（ステップＳ１６；Ｙｅｓ）、売上登録部２１２は、この取引に係る売上登録データを生成し、ストアコンピュータ３に送信することで売上登録を行う（ステップＳ１７）。
【００４９】
また、ポイント付与部２１３は、各商品について算出したポイントを積算する（ステップＳ１８）。次いで、ポイント付与部２１３は、積算したポイントを、顧客のポイントカードＰＣから読み取られたカード番号とともにストアコンピュータ３に送信することで、当該顧客にポイントを付与する（ステップＳ１９）。
【００５０】
そして、印字制御部２１４は、この取引の取引内容を示す取引レシートを発行し（ステップＳ２０）、本処理を終了する。
【００５１】
このように、本ポイント付与処理では、各商品に設定された複数の付与率のうち、ポイントの算出に用いる付与率を、当該付与率に設定された優先度に基づいて決定する。そのため、種々の優先度を設定することで、ポイント付与の多様化や、商品単体及び部門（グループ）単位でのポイント管理を容易に行うことができるため、ポイントの付与を柔軟に行うことができる。
【００５２】
また、本ポイント付与処理では、商品毎にポイントを算出し、そのポイントの総和を顧客に付与する。これにより、商品単位で付与できない端数ポイント（小数点以下のポイント）を取引単位で集計することができるため、端数ポイントとして切り捨てられるポイントを付与することができる。
【００５３】
以上、本発明の実施形態を説明したが、この実施形態は、例として提示したものであり、発明の範囲を限定することは意図していない。本発明の実施形態は、その他の様々な形態で実施されることが可能であり、発明の要旨を逸脱しない範囲で、種々の省略、置き換え、変更を行うことができる。実施形態やその変形は、発明の範囲や要旨に含まれるとともに、特許請求の範囲に記載された発明とその均等の範囲に含まれる。
【００５４】
例えば、上記実施形態において、単品付与率設定ファイルＦ２、部門別付与率設定ファイルＦ３及びグループ別付与率設定ファイルＦ４の何れかを、特定期間内に適用する形態としてもよい。また、特定期間に適用する設定ファイル（以下、特定期間用ファイルという）を別途用意してもよく、その特定期間の間、特定期間用ファイルに切り替えてポイント付与を行う形態としてもよい。なお、特定期間の間は、特定期間用ファイルの優先度を優先度設定ファイルＦ５に設定するものとする。
【００５５】
また、上記実施形態では、ポイントの付与率を設定情報に定義したが、これに限らず、例えば付与の対象となるポイント自体を設定情報に定義する形態としてもよい。この場合、商品が購入された場合には、その単価によらず、各付与率設定ファイルに設定されたポイントが、優先度設定ファイルＦ５の優先度に基づいて商品毎に付与されるものとする。
【００５６】
また、上記実施形態では、部門及びグループの各カテゴリに付与率を設定したが、商品を分類するカテゴリ数は特に問わず、１であってもよいし３以上であってもよい。なお、各カテゴリに設定された付与率は、その優先度が優先度設定ファイルＦ５に設定されるものとする。
【００５７】
また、上記実施形態では、店舗売上ファイルＦ６及びポイント管理ファイルＦ７をストアコンピュータ３が備える構成としたが、これに限らず、ＰＯＳ端末２が備える構成としてもよい。
【００５８】
また、上記実施形態のＰＯＳ端末２で実行されるプログラムは、ＲＯＭや記憶部等に予め組み込んで提供するように構成してもよい。また、上記プログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供されてもよい。
【００５９】
また、上記プログラムを、インターネット等のネットワークに接続されたコンピュータ上に格納し、ネットワーク経由でダウンロードさせることにより提供するように構成してもよい。また、上記プログラムをインターネット等のネットワーク経由で提供又は配布するように構成してもよい。
【符号の説明】
【００６０】
１  ＰＯＳシステム
２  ＰＯＳ端末
３  ストアコンピュータ
４  ＬＡＮ
２１  制御部
２１１  商品情報取得部
２１２  売上登録部
２１３  ポイント付与部
２１４  印字制御部
Ｆ１  商品マスタファイル
Ｆ２  単品付与率設定ファイル
Ｆ３  部門別付与率設定ファイル
Ｆ４  グループ別付与率設定ファイル
Ｆ５  優先度設定ファイル
Ｆ６  店舗売上ファイル
Ｆ７  ポイント管理ファイル
【先行技術文献】
【特許文献】
【００６１】
【特許文献１】特開２００１−２３６５７３号公報
【図１】
2015087854.tif 000003
【図２】
2015087854.tif 000004
【図３】
2015087854.tif 000005
【図４】
2015087854.tif 000006
【図５】
2015087854.tif 000007
【図６】
2015087854.tif 000008
【図７】
2015087854.tif 000009
【図８】
2015087854.tif 000010
【図９】
2015087854.tif 000011
【図１０】
2015087854.tif 000012
【図１１】
2015087854.tif 000013